(57)【要約】【課題】設定した給水時間を確認できる製氷機の制御方法を提案すること。【解決手段】製氷機１は、製氷皿５と、製氷皿５を貯水位置５Ａと氷離脱位置５Ｂとの間で所定の軸線回りに反転させる駆動部６と、給水機構８と、駆動部６および給水機構８を駆動制御する制御部１９と、給水機構８から製氷皿５に供給する水の給水時間を設定するための設定スイッチ２２を有する。設定スイッチ２２の操作によって給水時間を第１給水時間、第２給水時間、または、第３給水時間に設定すると（ステップＳＴ２０、ＳＴ２５、ＳＴ２８）、製氷機１は設定した給水時間に対応する回数だけ製氷皿５を揺動させる設定確認動作を行う（ステップＳＴ２１、ＳＴ２６、ＳＴ２９）。【選択図】図６
2019190733.tif 000002
【特許請求の範囲】
【請求項１】
製氷皿と、
前記製氷皿を、開口部が上を向く貯水位置と当該開口部が下方を向く氷離脱位置との間で所定の軸線回りに反転させる駆動部と、
水を前記製氷皿に供給する給水機構を駆動して前記貯水位置にある前記製氷皿に水を供給するとともに、前記駆動部を駆動して前記製氷皿を前記貯水位置から前記氷離脱位置に到達させて製造された氷を当該製氷皿から離脱させる制御部と、
前記製氷皿に供給する水の給水時間を設定するための設定スイッチと、を有し、
前記制御部は、前記設定スイッチの操作に基づいて前記給水時間を第１給水時間または当該第１給水時間とは異なる第２給水時間に設定する給水時間設定部と、前記給水時間が前記第１給水時間に設定された場合に前記駆動部を駆動して前記製氷皿を第１の態様で揺動させ、前記給水時間が前記第２給水時間に設定された場合に前記駆動部を駆動して前記製氷皿を前記第１の態様とは異なる第２の態様で揺動させる設定確認動作を行う設定確認部と、を備えることを特徴とする製氷機。
【請求項２】
前記第１の態様は、前記製氷皿を、第１回数、揺動させるものであり、
前記第２の態様は、前記製氷皿を、前記第１回数とは異なる第２回数、揺動させるものであることを特徴とする請求項１に記載の製氷機。
【請求項３】
前記第１の態様は、前記製氷皿を第１角度で揺動させるものであり、
前記第２の態様は、前記製氷皿を前記第１角度とは異なる第２角度で揺動させるものであることを特徴とする請求項１または２に記載の製氷機。
【請求項４】
前記設定確認動作において、前記製氷皿が前記軸線回りで揺動する角度は、前記軸線回りにおける前記貯水位置と前記氷離脱位置との間の角度よりも小さいことを特徴とする請求項１から３のうちのいずれか一項に記載の製氷機。
【請求項５】
動作モードを、製氷を行う製氷モードと前記給水時間を設定する設定モードとの間で切り替える切替スイッチ、を有し、
前記給水時間設定部は、前記動作モードが前記設定モードのときに前記給水時間を設定することを特徴とする請求項１から４のうちのいずれか一項に記載の製氷機。
【請求項６】
電源を投入する電源スイッチを有し、
前記切替スイッチは、前記電源スイッチおよび前記設定スイッチを備え、
前記電源スイッチと前記設定スイッチとが同時に操作されて前記電源が投入されると前記設定モードで起動することを特徴とする請求項５に記載の製氷機。
【請求項７】
前記設定スイッチは、押しボタン式スイッチであり、
前記給水時間設定部は、前記設定スイッチが押下された時点から所定の入力受付時間が経過するまでの間に更に前記設定スイッチが押下されると、最後に前記設定スイッチが押下された時点から当該設定スイッチの押下の無い状態で前記入力受付時間が経過するまで当該設定スイッチの押下の回数を積算し、前記回数に基づいて前記給水時間を設定することを特徴とする請求項５または６に記載の製氷機。
【請求項８】
前記給水時間設定部は、前記動作モードが前記製氷モードから前記設定モードに移行した時点から所定の移行経過時間が経過するまでの間に前記設定スイッチが押下されない場合に、前記給水時間を変更しないことを特徴とする請求項７に記載の製氷機。
【請求項９】
前記駆動部は、当該駆動部の駆動源を収容するケースを備え、
前記電源スイッチおよび前記設定スイッチは、前記ケースの下面に設けられていることを特徴とする請求項６から８のうちのいずれか一項に記載の製氷機。
【請求項１０】
前記給水機構は、前記製氷皿に向かって水が流通する水路と、前記水路を開閉する弁と、を備えるものであり、
前記制御部は、前記弁を駆動制御する弁駆動制御部を備え、
前記弁駆動制御部は、前記製氷皿に水を貯留する際に設定された前記給水時間だけ前記弁を開状態に駆動することを特徴とする請求項１から９のうちのいずれか一項に記載の製氷機。
【請求項１１】
製氷皿と、前記製氷皿を、開口部が上を向く貯水位置と当該開口部が下方を向く氷離脱位置との間で所定の軸線回りに反転させる駆動部と、給水機構を駆動して前記貯水位置にある前記製氷皿に水を供給して製氷を行い、前記駆動部を駆動して前記製氷皿を反転させて前記氷離脱位置に到達させて製造された氷を離脱させる製氷機の制御方法において、
前記製氷皿に供給する水の給水時間を設定するための設定スイッチを備えておき、
前記設定スイッチの操作に基づいて前記給水時間を第１給水時間または当該第１給水時間とは異なる第２給水時間に設定し、
前記給水時間が前記第１給水時間に設定された場合に前記製氷皿を前記軸線回りに第１の態様で揺動させ、前記給水時間が前記第２給水時間に設定された場合に前記製氷皿を前記軸線回りに前記第１の態様とは異なる第２の態様で揺動させる設定確認動作を行うことを特徴とする製氷機の制御方法。
【請求項１２】
前記第１の態様では、前記製氷皿を、第１回数、揺動させ、
前記第２の態様では、前記製氷皿を、前記第１回数とは異なる第２回数、揺動させることを特徴とする請求項１１に記載の製氷機の制御方法。
【請求項１３】
前記第１の態様では、前記製氷皿を第１角度で揺動させ、
前記第２の態様では、前記製氷皿を前記第１角度とは異なる第２角度で揺動させることを特徴とする請求項１１または１２に記載の製氷機の制御方法。
【請求項１４】
前記設定確認動作において前記製氷皿が前記軸線回りで揺動する角度は、前記軸線回りにおける前記貯水位置と前記氷離脱位置との間の角度よりも小さいことを特徴とする請求項１１から１３のうちのいずれか一項に記載の製氷機の制御方法。
【請求項１５】
動作モードを、製氷を行う製氷モードと前記給水時間を設定する設定モードとの間で切り替える切替スイッチを備えておき、
前記切替スイッチの操作によって前記動作モードが前記設定モードとなっているときに前記設定スイッチが操作されると、前記設定スイッチの操作に基づいて前記給水時間を設定し、前記設定確認動作を行うことを特徴とする請求項１１から１４のうちのいずれか一項に記載の製氷機の制御方法。
【請求項１６】
電源を投入する電源スイッチを有するとともに、前記切替スイッチとして前記電源スイッチおよび前記設定スイッチを備えておき、
前記電源スイッチと前記設定スイッチとが同時に操作されて前記電源が投入されると前記設定モードで起動することを特徴とする請求項１５に記載の製氷機の制御方法。
【請求項１７】
前記設定スイッチとして、押しボタン式スイッチを備えておき、
前記設定スイッチが押下された時点から所定の入力受付時間が経過するまでの間に更に前記設定スイッチが押下されると、最後に前記設定スイッチが押下された時点から当該設定スイッチの押下の無い状態で前記入力受付時間が経過するまで前記設定スイッチの押下
の回数を積算し、前記回数に基づいて前記給水時間を設定することを特徴とする請求項１５または１６に記載の製氷機の制御方法。
【請求項１８】
前記動作モードが前記製氷モードから前記設定モードに移行した時点から所定の移行経過時間が経過するまでの間に前記設定スイッチが押下されない場合に、前記給水時間の設定が変更されないことを特徴とする請求項１７に記載の製氷機の制御方法。
【請求項１９】
前記駆動部は、当該駆動部の駆動源を収容するケースを備えておき、
前記電源スイッチおよび前記設定スイッチを前記ケースの下面に備えておくことを特徴とする請求項１６から１８のうちのいずれか一項に記載の製氷機の制御方法。
【請求項２０】
前記給水機構は、前記製氷皿に向かって水が流通する水路と当該水路を開閉する弁とを備えるものであり、
設定された前記給水時間だけ前記弁を開いて前記製氷皿に水を貯留することを特徴とする請求項１１から１９のうちのいずれか一項に記載の製氷機の制御方法。
【発明の詳細な説明】
【技術分野】
【０００１】
本発明は、給水機構から水を供給して製氷皿に貯留して製氷する製氷機およびその制御方法に関する。
【背景技術】
【０００２】
冷蔵庫に搭載される製氷機は特許文献１に記載されている。特許文献１の製氷機は、製氷皿と、製氷皿を所定の軸線回りに回転させる駆動部と、製氷皿に水を供給する給水機構を備える。駆動部は、駆動源としてのモータと、モータの回転力を伝達する回転伝達機構と、回転伝達機構によりモータの回転力が伝達されるカム歯車と、これらを収容するケースと、を備える。カム歯車には出力軸が一体に成形されている。出力軸はケースから突出して製氷皿に接続されている。駆動部は、製氷皿を、開口部が上を向く貯水位置と、開口部が下方を向く氷離脱位置との間で反転させる。製氷機は、貯水位置にある製氷皿に給水機構から供給される水を貯留して製氷を行う。製氷が完了すると、製氷機は、製氷皿を回転させて氷離脱位置に到達させ、氷を下方に落下させる。
【０００３】
特許文献２には、製氷皿に供給する水の給水時間を設定可能な給水調整装置が記載されている。給水調整装置は、給水時間を設定するための設定スイッチと、設定された給水時間を表示する表示パネルと、給水機構の水路を開閉する給水弁を駆動する制御部と、を備える。設定スイッチおよび表示パネルは冷蔵庫に設けられている。設定スイッチの操作に基づいて給水時間が設定されると、制御部は給水時に設定された給水時間だけ給水弁を開く。ここで、給水時間は、水路を流通する水の水圧に応じて設定される。給水時間を設定することにより、水路を流通する水の水圧が高い場合でも低い場合でも、給水機構から所定量の水が製氷皿に供給される。
【先行技術文献】
【特許文献】
【０００４】
【特許文献１】特開２０１３−１５５９２６号公報
【特許文献２】特開平１０−１９７１１９号公報
【発明の概要】
【発明が解決しようとする課題】
【０００５】
給水調整装置を製氷機に備えることが考えられる。しかし、設定した給水時間を確認するための表示パネルを製氷機に設けるとすると、その製造コストが嵩む。
【０００６】
以上の問題点に鑑みて、本発明の課題は、表示パネルを設けることなく、設定した給水時間を確認できる製氷機、および、製氷機の制御方法を提供することにある。
【課題を解決するための手段】
【０００７】
上記課題を解決するため、本発明の製氷機は、製氷皿と、前記製氷皿を、開口部が上を向く貯水位置と当該開口部が下方を向く氷離脱位置との間で所定の軸線回りに反転させる駆動部と、水を前記製氷皿に供給する給水機構を駆動して前記貯水位置にある前記製氷皿に水を供給するとともに、前記駆動部を駆動して前記製氷皿を前記貯水位置から前記氷離脱位置に到達させて製造された氷を当該製氷皿から離脱させる制御部と、前記製氷皿に供給する水の給水時間を設定するための設定スイッチと、を有し、前記制御部は、前記設定スイッチの操作に基づいて前記給水時間を第１給水時間または当該第１給水時間とは異なる第２給水時間に設定する給水時間設定部と、前記給水時間が前記第１給水時間に設定された場合に前記駆動部を駆動して前記製氷皿を第１の態様で揺動させ、前記給水時間が前
記第２給水時間に設定された場合に前記駆動部を駆動して前記製氷皿を前記第１の態様とは異なる第２の態様で揺動させる設定確認動作を行う設定確認部と、を備えることを特徴とする。
【０００８】
本発明では、設定スイッチの操作によって給水機構から製氷皿に供給される水の給水時間が第１給水時間に設定された場合には、製氷皿が第１の態様で揺動する。また、設定スイッチの操作によって給水機構から製氷皿に供給される水の給水時間が第２給水時間に設定された場合には、製氷皿が第２の態様で揺動する。従って、給水時間を設定した操作者は、製氷皿が揺動する態様を目視で確認することにより、いずれの給水時間が設定されたかを確認できる。よって、設定した給水時間を確認するために製氷機に表示パネルを設ける必要がない。また、製氷機は、製氷皿を回転させる駆動部を備えるので、設定した給水時間を確認するために、新たに製氷皿を揺動（回転させる）機構を備える必要もない。従って、設定した給水時間を確認する機構を製氷機に設けた場合でも、製氷機の製造コストの上昇を抑制できる。
【０００９】
本発明において、前記第１の態様は、前記製氷皿を、第１回数、揺動させるものであり、前記第２の態様は、前記製氷皿を、前記第１回数とは異なる第２回数、揺動させるものであるものとすることができる。このようにすれば、製氷皿が揺動する回数によって、設定した給水時間を確認できる。
【００１０】
本発明において、前記第１の態様は、前記製氷皿を第１角度で揺動させるものであり、前記第２の態様は、前記製氷皿を前記第１角度とは異なる第２角度で揺動させるものとすることができる。このようにすれば、製氷皿が揺動する角度によって、設定した給水時間を確認できる。
【００１１】
本発明において、前記設定確認動作において、前記製氷皿が前記軸線回りで揺動する角度は、前記軸線回りにおける前記貯水位置と前記氷離脱位置との間の角度よりも小さいことが望ましい。このようにすれば、設定確認動作を短時間で行うことができる。
【００１２】
本発明において、動作モードを、製氷を行う製氷モードと前記給水時間を設定する設定モードとの間で切り替える切替スイッチ、を有し、前記給水時間設定部は、前記動作モードが前記設定モードのときに前記給水時間を設定することが望ましい。このようにすれば、製氷中に誤って設定スイッチが操作されたときに、給水時間が設定されて設定確認動作が行われ、製氷皿が揺動することを回避できる。
【００１３】
本発明において、電源を投入する電源スイッチを有し、前記切替スイッチは、前記電源スイッチおよび前記設定スイッチを備え、前記電源スイッチと前記設定スイッチとが同時に操作されて前記電源が投入されると前記設定モードで起動することを特徴とすることが望ましい。このようにすれば、製氷中に誤って設定スイッチが操作された場合などに、製氷機の動作モードが製氷モードから設定モードに切り替わってしまうことを回避できる。
【００１４】
本発明において、前記設定スイッチは、押しボタン式スイッチであり、前記給水時間設定部は、前記設定スイッチが押下された時点から所定の入力受付時間が経過するまでの間に更に前記設定スイッチが押下されると、最後に前記設定スイッチが押下された時点から当該設定スイッチの押下の無い状態で前記入力受付時間が経過するまで当該設定スイッチの押下の回数を積算し、前記回数に基づいて前記給水時間を設定するものとすることができる。このようにすれば、設定スイッチの押下の回数によって給水時間を設定できる。従って、給水時間の設定が容易となる。
【００１５】
本発明において、前記給水時間設定部は、前記動作モードが前記製氷モードから前記設
定モードに移行した時点から所定の移行経過時間が経過するまでの間に前記設定スイッチが押下されない場合に、前記給水時間を変更しないものとすることができる。このようにすれば、誤って、設定モードに移行した場合などに、設定スイッチを操作する必要がない。
【００１６】
本発明において、前記駆動部は、当該駆動部の駆動源を収容するケースを備え、前記電源スイッチおよび前記設定スイッチは、前記ケースの下面に設けられていることが望ましい。このようにすれば、製氷機を使用しているユーザーが誤って電源スイッチおよび設定スイッチを操作することを防止或いは抑制できる。
【００１７】
本発明において、前記給水機構は、前記製氷皿に供給される水が流通する水路と、前記水路を開閉する弁と、を備え、前記制御部は、前記弁を駆動制御する弁駆動制御部を備え、前記弁駆動制御部は、前記製氷皿に水を貯留する際に設定された前記給水時間だけ前記弁を開状態に駆動することが望ましい。このようにすれば、設定された給水時間だけ水を製氷皿に供給できる。
【００１８】
本発明において、前記給水機構は、前記製氷皿に向かって水が流通する水路と、前記水路を開閉する弁と、を備えるものであり、前記制御部は、前記弁を駆動制御する弁駆動制御部を備え、前記弁駆動制御部は、前記製氷皿に水を貯留する際に設定された前記給水時間だけ前記弁を開状態に駆動することものとすることができる。このようにすれば、設定された給水時間だけ水を製氷皿に供給できる。
【００１９】
次に、本発明は、製氷皿と、前記製氷皿を、開口部が上を向く貯水位置と当該開口部が下方を向く氷離脱位置との間で所定の軸線回りに反転させる駆動部と、給水機構を駆動して前記貯水位置にある前記製氷皿に水を供給して製氷を行い、前記駆動部を駆動して前記製氷皿を反転させて前記氷離脱位置に到達させて製造された氷を離脱させる製氷機の制御方法において、前記製氷皿に供給する水の給水時間を設定するための設定スイッチを備えておき、前記設定スイッチの操作に基づいて前記給水時間を第１給水時間または当該第１給水時間とは異なる第２給水時間に設定し、前記給水時間が前記第１給水時間に設定された場合に前記製氷皿を前記軸線回りに第１の態様で揺動させ、前記給水時間が前記第２給水時間に設定された場合に前記製氷皿を前記軸線回りに前記第１の態様とは異なる第２の態様で揺動させる設定確認動作を行うことを特徴とする。
【００２０】
本発明では、設定スイッチの操作によって給水機構から製氷皿に供給される水の給水時間が第１給水時間に設定された場合には、製氷皿が第１の態様で揺動する。また、設定スイッチの操作によって給水機構から製氷皿に供給される水の給水時間が第２給水時間に設定された場合には、製氷皿が第２の態様で揺動する。従って、給水時間を設定した操作者は、製氷皿が揺動する態様を目視で確認することにより、いずれの給水時間が設定されたかを確認できる。よって、設定した給水時間を確認するために製氷機に表示パネルを設ける必要がない。また、製氷機は、製氷皿を回転させて製造された氷を離脱させるものなので、設定した給水時間を確認するために、新たに製氷皿を揺動（回転させる）機構を備える必要もない。従って、設定した給水時間を確認する機構を製氷機に設けた場合でも、製氷機の製造コストの上昇を抑制できる。
【００２１】
本発明において、前記第１の態様では、前記製氷皿を、第１回数、揺動させ、前記第２の態様では、前記製氷皿を、前記第１回数とは異なる第２回数、揺動させるものとすることができる。このようにすれば、製氷皿が揺動する回数によって、設定した給水時間を確認できる。
【００２２】
本発明において、前記第１の態様では、前記製氷皿を第１角度で揺動させ、前記第２の
態様では、前記製氷皿を前記第１角度とは異なる第２角度で揺動させるものとすることができる。このようにすれば、製氷皿が揺動する角度によって、設定した給水時間を確認できる。
【００２３】
本発明において、前記設定確認動作において前記製氷皿が前記軸線回りで揺動する角度は、前記軸線回りにおける前記貯水位置と前記氷離脱位置との間の角度よりも小さいことが望ましい。このようにすれば、設定確認動作を短時間で行うことができる。
【００２４】
本発明において、動作モードを、製氷を行う製氷モードと前記給水時間を設定する設定モードとの間で切り替える切替スイッチを備えておき、前記切替スイッチの操作によって前記動作モードが前記設定モードとなっているときに前記設定スイッチが操作されると、前記設定スイッチの操作に基づいて前記給水時間を設定し、前記設定確認動作を行うものとすることができる。このようにすれば、製氷中に設定確認動作が行われて、製氷皿が揺動することを防止できる。
【００２５】
本発明において、電源を投入する電源スイッチを有するとともに、前記切替スイッチとして前記電源スイッチおよび前記設定スイッチを備えておき、前記電源スイッチと前記設定スイッチとが同時に操作されて前記電源が投入されると前記設定モードで起動するものとすることができる。このようにすれば、動作モードが不用意に製氷モードから設定モードに切り替わってしまうことを防止できる。
【００２６】
本発明において、前記設定スイッチとして、押しボタン式スイッチを備えておき、前記設定スイッチが押下された時点から所定の入力受付時間が経過するまでの間に更に前記設定スイッチが押下されると、最後に前記設定スイッチが押下された時点から当該設定スイッチの押下の無い状態で前記入力受付時間が経過するまで前記設定スイッチの押下の回数を積算し、前記回数に基づいて前記給水時間を設定するものとすることができる。このようにすれば、設定スイッチの押下の回数によって給水時間を設定できる。従って、給水時間の設定が容易である。
【００２７】
本発明において、前記動作モードが前記製氷モードから前記設定モードに移行した時点から所定の移行経過時間が経過するまでの間に前記設定スイッチが押下されない場合に、前記給水時間の設定が変更されないものとすることができる。このようにすれば、誤って設定モードに移行した場合などに、設定スイッチを操作する必要がない。
【００２８】
本発明において、前記駆動部は、当該駆動部の駆動源を収容するケースを備えておき、前記電源スイッチおよび前記設定スイッチを前記ケースの下面に備えておくことが望ましい。このようにすれば、製氷機を使用しているユーザーが誤って電源スイッチおよび設定スイッチを操作することを防止或いは抑制できる。
【００２９】
本発明において、前記給水機構は、前記製氷皿に向かって水が流通する水路と当該水路を開閉する弁とを備えるものであり、設定された前記給水時間だけ前記弁を開いて前記製氷皿に水を貯留することが望ましい。このようにすれば、設定された給水時間の水を製氷皿に供給できる。
【発明の効果】
【００３０】
本発明では、設定スイッチの操作によって給水機構から製氷皿に供給される水の給水時間が設定されると、設定された給水時間に対応する態様で製氷皿が揺動する。従って、従って、給水時間を設定した操作者は、製氷皿が揺動する態様を目視で確認することにより、いずれの給水時間が設定されたかを確認できる。よって、設定した給水時間を確認するために表示パネルを設ける必要がない。また、製氷機は、製氷皿を回転させる駆動部を備
えるので、設定した給水時間を確認するために、新たに製氷皿を揺動（回転させる）機構を備える必要もない。
【図面の簡単な説明】
【００３１】
【図１】本発明を適用した製氷機を上方から見た場合の斜視図である。
【図２】本発明を適用した製氷機を下方から見た場合の斜視図である。
【図３】製氷機の分解斜視図である。
【図４】製氷皿の氷離脱位置に配置された状態の製氷機の斜視図である。
【図５】製氷機の制御系の概略ブロック図である。
【図６】製氷動作のフローチャートである。
【図７】給水量設定動作のフローチャートである。
【発明を実施するための形態】
【００３２】
以下に図面を参照して、本発明の実施の形態の製氷機を説明する。
（全体構成）
図１は本発明を適用した製氷機を上方から見た場合の斜視図である。図２は図１の製氷機を下方から見た場合の斜視図である。図３は製氷機の分解斜視図である。図１から図３において、製氷皿は、製氷用の水を貯留する貯水位置に配置されている。図４（ａ）は、製氷皿が氷離脱位置に配置された状態の製氷機を上方から見た場合の斜視図であり、図４（ｂ）は、製氷皿が氷離脱位置に配置された状態の製氷機を下方から見た場合の斜視図である。なお、図２〜図４では給水機構を省略して示す。
【００３３】
本例の製氷機１は冷蔵庫に搭載される。図１から図３に示すように、製氷機１は、製氷皿５と、製氷皿５を反転させる駆動部６と、製氷皿５および駆動部６を支持するフレーム７と、を備える。冷蔵庫には、水を製氷皿５に供給する給水機構８が設けられている。製氷機１の電源線は冷蔵庫の電源装置に接続されている。製氷機１には冷蔵庫から電力が供給される。
【００３４】
給水機構８は、水道水を製氷用の水として製氷皿５に供給する。給水機構８は、製氷皿５の上方に位置する給水口１０ａを備える給水パイプ１０と、水道水の配管の出口と給水パイプ１０とを接続する接続配管１１と、接続配管１１の途中に設置された電磁弁１２（弁）と、を備える。電磁弁１２は、製氷皿５に向かって水が流れる接続配管１１（水路）を開閉する。電磁弁１２には、製氷機１からの配線９（図５参照）が接続されている。
【００３５】
製氷皿５は、その平面形状が略長方形である。製氷皿５は給水パイプ１０から供給される水を貯留する複数の貯水用凹部１４を備える。駆動部６は、製氷皿５を、当該製氷皿５の短手方向の中央部分を長手方向に通過する軸線Ｌ回りに反転させる。駆動部６は、直方体形状のケース１６と、ケース１６から突出する出力軸１７を備える。ケース１６内には駆動部６の駆動源であるモータ１８（図５参照）などが収容されている。また、ケース１６内には、ＣＰＵを備える制御部１９（図５参照）が収容されている。
【００３６】
出力軸１７は製氷皿５の軸線Ｌ方向の一方側の端部分に連結されている。駆動部６の駆動により、製氷皿５は、貯水用凹部１４が上方を向く貯水位置５Ａ（図１参照）と、貯水用凹部１４が下方を向く氷離脱位置５Ｂ（図４参照）との間を回転する。図２に示すように、ケース１６の下面１６ａにはモータ１８に電力を供給するための電源スイッチ２１と、設定スイッチ２２とが設けられている。設定スイッチ２２は給水機構８の電磁弁１２を駆動する時間を設定するためのものであり、矩形の押しボタン式スイッチである。ケース１６の下面１６ａには設定スイッチ２２を３方向から囲むリブ２６が設けられている。
【００３７】
製氷機１は、図１に示すように、製氷皿５を貯水位置５Ａに配置して給水パイプ１０か
ら供給される水を製氷皿５の貯水用凹部１４に貯留して、製氷を行う。製氷が完了すると、駆動部６は、製氷皿５を貯水位置５Ａから氷離脱位置５Ｂに向かう第１回転方向Ｒ１に回転させて、図４に示す氷離脱位置５Ｂに到達させる。これにより、製氷皿５の氷を製氷機１の下方に配置した氷貯留容器（不図示）へ落下させる。
【００３８】
以下の説明では、互いに直交する３方向をＸ方向、Ｙ方向、Ｚ方向とする。Ｘ方向は軸線Ｌ方向である。Ｚ方向は製氷機１の設置姿勢（図１に示す姿勢）における上下方向である。Ｙ方向は、軸線Ｌ方向および上下方向と直交する方向である。また、Ｘ方向において、駆動部６が位置する側をＸ１方向とし、製氷皿５が位置する側をＸ２方向とする。Ｚ方向において、上方をＺ１方向、下方をＺ２方向とする。また、Ｙ方向において、製氷皿５が軸線Ｌ回りを貯水位置５Ａから氷離脱位置５Ｂに向かう第１回転方向Ｒ１に回転する際に、貯水用凹部１４の開口が向く方向をＹ１方向とし、その反対側をＹ２方向とする。
【００３９】
（製氷皿）
製氷皿５は弾性変形可能な可撓性材料からなる。本例では製氷皿５は樹脂材料からなる。図３に示すように、製氷皿５は、Ｘ１方向に位置する第１壁部２８と、Ｘ２方向に位置する第２壁部２９と、を備える。第１壁部２８には駆動部６の出力軸１７に連結される連結部３０が設けられている。第２壁部２９には、連結部３０と同軸に、軸部３１が設けられている。軸部３１は第２壁部２９からＸ２方向に突出する。また、第２壁部２９は、製氷皿５が貯水位置５Ａに配置するときに、軸部３１からＹ１方向に離間する位置でＸ２方向に突出する突出部３２を備える。
【００４０】
製氷皿５において、第１壁部２８と第２壁部２９との間には複数の貯水用凹部１４が配置されている。貯水用凹部１４は、Ｙ方向に並ぶ２つの貯水用凹部１４が組になってＸ方向に４列配置されている。製氷皿５は、隣り合う２つの貯水用凹部１４を互いに部分的に連通させる連通部３３を備える。より詳細には、製氷皿５は、Ｘ方向に配列された４つの貯水用凹部１４について、隣り合う貯水用凹部１４を互いに部分的に連通させる連通部３３を備える。また、製氷皿５は、Ｘ１方向の端においてＹ方向に配列された２つの貯水用凹部１４を互いに部分的に連通させる連通部３３を備える。さらに、製氷皿５は、Ｘ２方向の端においてＹ方向に配列された２つの貯水用凹部１４を互いに部分的に連通させる連通部３３を備える。連通部３３は、隣り合う貯水用凹部１４の間に位置する壁を上方から切り欠いた切欠きである。
【００４１】
図２に示すように、製氷皿５において、Ｚ２方向の下面には、貯水用凹部１４の形状が反映された凸部が配列されている。製氷皿５の下面には、製氷皿５の温度を検知するサーミスタ３５が配置されている。サーミスタ３５は、製氷皿５の下面に固定されたカバー３６で覆われている。
【００４２】
（駆動部）
ケース１６には、モータ１８と、モータ１８の回転力を伝達する回転伝達機構と、回転伝達機構によりモータ１８の回転力が伝達されるカム歯車４１とが収納されている。カム歯車４１には、出力軸１７が一体成形されている。図３に示すように、出力軸１７は、ケース１６のＸ２方向の側の面に設けられた穴４２からケース１６の外方に突出する。出力軸１７は製氷皿５の第１壁部２８に設けられた連結部３０に連結される。出力軸１７は、製氷皿５を貯水位置５Ａから氷離脱位置５Ｂに回転させる際には、軸線Ｌを中心に第１回転方向Ｒ１に回転する。また、出力軸１７は、製氷皿５を氷離脱位置５Ｂから貯水位置５Ａに戻す際には、第１回転方向Ｒ１とは反対の第２回転方向Ｒ２に回転する。
【００４３】
製氷皿５に対してＹ１方向で隣り合う位置には検氷レバー４４が配置されている。検氷レバー４４は、製氷機１の下方に設けられた氷貯留容器が氷で満杯か否かを検出するため
のものである。ここで、ケース１６内には、出力軸１７と一体に回転するカム歯車４１の回転角度に応じてカム歯車４１と連動して検氷レバー４４を軸線Ｌと直交する軸線Ｌ１回り回転させる動作させる検氷機構、カム歯車４１の回転角度位置を検出するカム角度位置検出機構４５（図５参照）、などが収容されている。
【００４４】
（フレーム）
図３に示すように、フレーム７は、製氷皿５および駆動部６のＹ１方向の側でＸ方向に延びる第１枠部分５１と、製氷皿５および駆動部６のＹ２方向の側で第１枠部分５１と平行に延びる第２枠部分５２とを備える。また、フレーム７は、Ｙ方向に延びて第１枠部分５１および第２枠部分５２のＸ１方向の端を接続する第３枠部分５３と、Ｙ方向に延びて第１枠部分５１および第２枠部分５２のＸ２方向の端を接続する第４枠部分５４と、を備える。さらに、フレーム７は、第３枠部分５３の上端からＸ２方向に張り出して駆動部６の上方で第１枠部分５１と第２枠部分５２との間を部分的に接続する矩形の支持部５５を備える。支持部５５には、駆動部６が支持される。
【００４５】
第１枠部分５１は、Ｚ方向から見た場合に検氷レバー４４と重なっている。第１枠部分５１には、検氷レバー４４の上端部が内側に位置する開口部５１ａが設けられている。第３枠部分５３は、フレーム７のＸ１方向の端を規定する端板であり、Ｘ方向から見た場合の形状が矩形である。第３枠部分５３は、支持部５５に支持された駆動部６をＸ１方向から被う。
【００４６】
第４枠部分５４は、板状の複数のリブが互いに連結された多孔性の壁である。図２に示すように、第４枠部分５４におけるＸ１方向の側の面の中央には、製氷皿５の軸部３１を回転可能に支持する軸穴５７が設けられている。駆動部６の出力軸１７に製氷皿５の連結部３０が連結された状態で、駆動部６がフレーム７の支持部５５に支持され、製氷皿５の軸部３１が軸穴５７に挿入されると、駆動部６および製氷皿５はフレーム７に支持される。駆動部６および製氷皿５がフレーム７に支持されると、駆動部６が動作したときに、製氷皿５が軸線Ｌ回りに回転可能となる。
【００４７】
また、図２に示すように、第４枠部分５４には、製氷皿５が軸線Ｌ周を貯水位置５Ａから第１回転方向Ｒ１に回転して氷離脱位置５Ｂに達したときに第１回転方向Ｒ１の前方から製氷皿５（突出部３２）に当接する被当接部５８が設けられている。被当接部５８は第４枠部分５４からＸ１方向に突出する。被当接部５８は、図４（ｂ）に示すように、氷離脱位置５Ｂにおいて突出部３２に当接して、第１回転方向Ｒ１に駆動されている製氷皿５の回転を阻止する。
【００４８】
（制御系）
図５は製氷機１の制御系の概略ブロック図である。製氷機１の制御部１９は、ＣＰＵを備える制御部１９を中心に構成されている。制御部１９の入力側には、サーミスタ３５、カム角度位置検出機構４５、電源スイッチ２１、および、設定スイッチ２２が接続されている。制御部１９の出力側には、給水機構８の電磁弁１２およびモータ１８が接続されている。また、制御部１９には記憶部６０が接続されている。制御部１９は、動作モード制御部６１、初期化制御部６２、および、製氷制御部６３を備える。また、制御部１９は、製氷皿５への給水を制御する給水制御部６４およびタイマ６５を備える。
【００４９】
動作モード制御部６１は、製氷機１の動作モードを、製氷を行う製氷モードと、給水時間を設定する設定モードとの間で切り替える。動作モード制御部６１は、電源スイッチ２１の操作により製氷機１に電源が投入されると、製氷機１を製氷モードで立ち上げる。また、動作モード制御部６１は、電源スイッチ２１と設定スイッチ２２とが同時に操作されて製氷機１に電源が投入されると、製氷機１を設定モードで立ち上げる。すなわち、本例
では、電源スイッチ２１と設定スイッチ２２とが、製氷機１の動作モードを製氷モードと設定モードとの間で切り替える切替スイッチを構成している。また、動作モード制御部６１は、詳細を後述するように、給水制御部６４による設定確認動作が終了すると、製氷機１の動作モードを、設定モードから製氷モードに戻す。
【００５０】
初期化制御部６２は、電源スイッチ２１が操作されて製氷機１が製氷モードで立ち上がると、製氷機１の初期化動作を行う。初期化動作では、初期化制御部６２は、モータ１８を駆動して、製氷皿５を貯水位置５Ａと氷離脱位置５Ｂとの間で回転させ、しかる後に、製氷皿５を貯水位置５Ａに配置する。初期化制御部６２は、製氷皿５の位置をカム角度位置検出機構４５からの出力に基づいて把握する。また、初期化制御部６２は、製氷機１の動作モードが設定モードから製氷モードに戻ると、製氷モードに移行した時点（戻った時点）で初期化動作を行う。
【００５１】
製氷制御部６３は、製氷機１による製氷動作を司る。製氷制御部６３は、初期化動作が終了した後に、給水制御部６４に、製氷皿５へ水を供給する給水指令を出力する。
【００５２】
また、製氷制御部６３は、サーミスタ３５からの出力に基づいて製氷の完了を検出する。すなわち、サーミスタ３５によって製氷皿５の温度が予め設定した温度以下になったことが検出されると、製氷制御部６３は製氷の完了を検出する。
【００５３】
さらに、製氷制御部６３は、製氷が完了すると、モータ１８を駆動して検氷機構を動作させて氷貯留容器が満杯か否かを確認する検氷動作を行う。検氷動作では、モータ１８の駆動によってカム歯車４１が所定の角度位置に達すると、その後に更にカム歯車４１が回転するのに伴って、検氷レバー４４が下方に回動する。ここで、氷貯留容器が氷で満杯の場合には、軸線Ｌ１回りに回転する検氷レバー４４の移動が氷貯留容器内の氷により阻害されるので、検氷レバー４４が所定の位置まで下降（回転）しない。一方、氷貯留容器が満杯ではない場合には、検氷レバー４４が所定の位置まで下降（回転）する。従って、製氷制御部６３は、検氷レバー４４と連動して回転するカム歯車４１の角度位置に基づいて（カム角度位置検出機構４５からの出力に基づいて）、氷貯留容器が満杯か否かを検出できる。
【００５４】
また、製氷制御部６３は、氷貯留容器が満杯でない場合には、検氷動作に引き続いてモータ１８の駆動を継続する。これにより、製氷皿５を貯水位置５Ａから氷離脱位置５Ｂに到達させて製氷皿５から氷を落下させる氷離脱動作を行う。なお、氷離脱動作において製氷皿５が氷離脱位置５Ｂに到達すると、図４（ｂ）に示すように、フレーム７の被当接部５８に製氷皿５の突出部３２が当接する。ここで、製氷皿５の突出部３２がフレーム７の被当接部５８に当接した時点では、製氷皿５は駆動部６によって第１回転方向Ｒ１に駆動されているが、突出部３２と被当接部５８との当接によって製氷皿５が更に第１回転方向Ｒ１に回転することが阻止される。これにより、製氷皿５には捻りが加えられて、変形する。よって、製氷皿５内の氷が貯水用凹部１４から剥離し、製氷皿５から離脱して、氷貯留容器に落下する。
【００５５】
なお、氷貯留容器が満杯の場合には、製氷制御部６３は、モータ１８を逆方向に駆動して検氷機構を初期状態に戻す。その後、製氷制御部６３は、所定時間が経過した後に、再び検氷機構を動作させる。そして、氷貯留容器が満杯でないことが確認されるまで検氷動作を繰り返し、氷貯留容器が満杯でないことが確認されると、氷離脱動作を行う。
【００５６】
さらに、製氷制御部６３は、氷離脱動作の終了後に、モータ１８を駆動して、製氷皿５を第２回転方向Ｒ２方向に回転させ、製氷皿５を貯水用凹部１４が上を向く貯水位置５Ａに戻す。
【００５７】
次に、給水制御部６４は、給水時間設定部６７、設定確認部６８、弁駆動制御部６９、を備える。
【００５８】
給水時間設定部６７は、製氷機１の動作モードが設定モードの場合に、設定スイッチ２２の操作に基づいて、製氷皿５に供給する水の給水時間を設定する。本例では、給水時間設定部６７は、給水時間を、第１給水時間、第１給水時間よりも長い第２給水時間、または、第２給水時間よりも長い第３給水時間の３つのうちのいずれかに設定する。給水時間の設定（変更）は、給水時間設定部６７が設定された給水時間を記憶部６０に書き込むことにより行われる。
【００５９】
より具体的には、給水時間設定部６７は、設定スイッチ２２が押下された時点から所定の入力受付時間が経過するまでの間に更に設定スイッチ２２が押下されると、最後に設定スイッチ２２が押下された時点から当該設定スイッチ２２の押下の無い状態で入力受付時間が経過するまで当該設定スイッチ２２の押下の回数を積算し、回数に基づいて給水時間を設定する。
【００６０】
また、給水時間設定部６７は、動作モードが設定モードに移行した時点から（電源スイッチ２１と設定スイッチ２２とが同時に操作された時点から）所定の移行経過時間が経過するまでの間に設定スイッチ２２が押下されない場合には、給水時間を変更せず、動作モードを設定モードから製氷モードに移行させる。なお、本例では、移行経過時間は入力受付時間と同一の時間である。
【００６１】
設定確認部６８は、給水時間が第１給水時間に設定された場合に駆動部６を駆動して製氷皿５を第１の態様で揺動させ、給水時間が第２給水時間に設定された場合に駆動部６を駆動して製氷皿５を第１の態様とは異なる第２の態様で揺動させ、給水時間が第３給水時間に設定された場合に駆動部６を駆動して製氷皿５を第１の態様および第２の態様とは異なる第３の態様で揺動させる設定確認動作を行う。本例では、第１の態様は、製氷皿５を１回揺動させるものであり、第２の態様は製氷皿５を２回揺動させるものであり、第３の態様は製氷皿５を３回揺動させるものである。
【００６２】
１回の揺動動作では、製氷皿５を第１回転方向に１秒回転させ、その後、１秒停止させ、しかる後に、製氷皿５を第２回転方向に１秒回転させる。すなわち、設定確認部６８は、モータ１８を１秒間駆動し、しかる後に、モータ１８を１秒間停止し、その後、モータ１８を逆方向に１秒間駆動する。なお、１回の揺動において製氷皿５が軸線回りで揺動する角度は、軸線回りにおける貯水位置５Ａと氷離脱位置５Ｂとの間の角度よりも小さい。また、製氷皿５の１回の揺動動作において、モータ１８の駆動により回転しているカム歯車４１は、製氷動作が開始される所定の角度位置には到達しない。従って、揺動動作と並行して検氷動作が行われることはなく、検氷レバー４４が駆動されることもない。
【００６３】
ここで、設定確認部６８による設定確認動作が終了すると、動作モード制御部６１は、製氷機１の動作モードを設定モードから製氷モードに移行させる。
【００６４】
弁駆動制御部６９は、製氷制御部６３から給水指令を出力されると、電磁弁１２を駆動して、給水機構８から製氷皿５に水を供給する。弁駆動制御部６９は、電磁弁１２を駆動する際に、設定された給水時間だけ電磁弁１２を開状態とする。
【００６５】
（製氷動作）
図６は製氷動作のフローチャートである。図６に示すように、電源スイッチ２１が操作されて製氷機１に電源が投入されると（ステップＳＴ１）、製氷機１は製氷モードで起動
する（ステップＳＴ２）。そして、製氷機１では初期化動作が行われる（ステップＳＴ３）。これにより、製氷皿５は貯水位置５Ａに配置される。
【００６６】
初期化動作が終了した後には、冷蔵庫内に設置されている製氷皿５は冷気によって冷やされる。その後、サーミスタ３５によって製氷皿５の温度が予め設定した温度以下になったことが検出されると（ステップＳＴ４）、氷貯留容器が氷で満杯か否かを検出する検氷動作が行われる（ステップＳＴ５）。検氷動作により氷貯留容器が満杯でないことが確認されると（ステップＳＴ５：Ｎｏ）、氷離脱動作が行われる（ステップＳＴ６）。
【００６７】
一方、検氷動作によって氷貯留容器が満杯であることが検出された場合には（ステップＳＴ５：Ｙｅｓ）、氷貯留容器が満杯でないことが確認されるまで、所定の時間経過する毎に（ステップＳＴ７）、検氷動作が行われる。その後、氷貯留容器が満杯でないことが確認されると氷離脱動作が行われる（ステップＳＴ５：Ｎｏ、ステップＳＴ６）。なお、電源スイッチ２１が操作されて製氷機１に電源が投入された後に最初に行われる氷離脱動作では、製氷皿５に給水は行われておらず、製氷は行われていない。従って、氷離脱動作によって製氷皿５は氷離脱位置５Ｂに到達するが、製氷皿５から氷は落下しない。
【００６８】
氷離脱動作が終了すると、製氷制御部６３は、モータ１８を逆方向に駆動して、製氷皿５を第２回転方向Ｒ２方向に回転させ、製氷皿５を貯水用凹部１４が上を向く貯水位置５Ａに戻す。その後、製氷動作が行われる。すなわち、制御部１９は、給水制御部６４に給水指令を出力する。これにより、給水制御部６４（弁駆動制御部６９）は、電磁弁１２を設定された給水時間だけ開状態に駆動する給水動作を行う（ステップＳＴ８）。この結果、給水機構８から所定量の水が製氷皿５に供給されて満たされる。
【００６９】
その後、冷蔵庫内に設置されている製氷皿５は冷気によって冷やされる。ここで、サーミスタ３５によって製氷皿５の温度が予め設定した温度以下になったことが検出されると、制御部１９は製氷の完了を検出する（ステップＳＴ４）。製氷の完了が検出されると、制御部１９は、氷貯留容器が氷で満杯か否かを検出する検氷動作を行う（ステップＳＴ５）。検氷動作により氷貯留容器が満杯でないことが確認されると（ステップＳＴ５：Ｎｏ）、氷離脱動作が行われる（ステップＳＴ６）。これにより、製氷皿５は氷離脱位置５Ｂに到達して捻られる。よって、製氷皿５内の氷は、貯水用凹部１４から剥離し、製氷皿５から離脱して氷貯留容器に落下する。
【００７０】
一方、検氷動作によって氷貯留容器が満杯であることが検出された場合には（ステップＳＴ５：Ｙｅｓ）、氷貯留容器が満杯でないことが確認されるまで、所定の時間経過する毎に（ステップＳＴ７）、検氷動作が行われる。その後、氷貯留容器が満杯でないことが確認されると氷離脱動作が行われ（ステップＳＴ５：Ｎｏ、ステップＳＴ７）、製氷皿５の氷は氷貯留容器に落下する。
【００７１】
氷離脱動作が終了すると、製氷制御部６３は、モータ１８を逆方向に駆動して、製氷皿５を第２回転方向Ｒ２方向に回転させ、製氷皿５を貯水用凹部１４が上を向く貯水位置５Ａに戻す。その後、製氷動作が繰り返される。すなわち、給水動作（ステップＳＴ８）が行われ、ステップＳＴ４からステップＳＴ７の動作が繰り返される。
【００７２】
（給水時間設定動作）
図７は給水時間を設定する給水時間設定動作のフローチャートである。図６に示すように、給水時間を設定する際には、電源スイッチ２１の操作に際して（ステップＳＴ１１）、設定スイッチ２２を押下する（ステップＳＴ１２：Ｙｅｓ）。すなわち、電源スイッチ２１と設定スイッチ２２とを同時に操作する。これにより、製氷機１は設定モードで起動する。
【００７３】
製氷機１が設定モードで起動すると、給水時間設定部６７は移行経過時間をタイマ６５にセットする(ステップＳＴ１３）。なお、電源スイッチ２１のみが操作されて設定スイッチ２２が押下されていない場合には（ステップＳＴ１２：Ｎｏ）、製氷機１は製氷モードで起動し、初期化動作（ステップＳＴ１４）が行われる。そして、図６に示すステップＳＴ４〜ステップＳＴ７の動作が行われ、ステップＳＴ８およびステップＳＴ４からステップＳＴ７の製氷動作が繰り返される。
【００７４】
その後、移行経過時間が経過するまでの間に設定スイッチ２２が押下されない場合には（ステップＳＴ１５：Ｙｅｓ）、給水時間設定部６７は、給水時間を変更せず、製氷機１の動作モードを設定モードから製氷モードに移行させる（ステップＳＴ１６）。ここで、製氷機１の動作モードが製氷モードに移行すると、初期化制御部６２により初期化動作（ステップＳＴ１４）が行われる。その後、図６に示すステップＳＴ４〜ステップＳＴ７の動作が行われ、ステップＳＴ８およびステップＳＴ４からステップＳＴ７の製氷動作が繰り返される。
【００７５】
一方、移行経過時間が経過するまでの間に設定スイッチ２２が押下されると（ステップＳＴ１５：Ｎｏ、ステップＳＴ１７）、給水時間設定部６７は入力受付時間をタイマ６５にセットする（ステップＳＴ１８）。その後、入力受付時間が経過するまでの間に設定スイッチ２２の押下の無い場合には（ステップＳＴ１９：Ｙｅｓ）、給水時間設定部６７は給水時間を第１給水時間に設定する（ステップＳＴ２０）。給水時間が第１給水時間に設定されると、設定確認部６８は、駆動部６を駆動して製氷皿５を１回揺動させる設定確認動作を行う（ステップＳＴ２１）。設定確認動作が行われると、製氷機１の動作モードは設定モードから製氷モードに移行する。製氷機１の動作モードが製氷モードに移行すると、初期化制御部６２により初期化動作（ステップＳＴ１４）が行われる。その後、図６に示すステップＳＴ４〜ステップＳＴ７の動作が行われ、ステップＳＴ８およびステップＳＴ４からステップＳＴ７の製氷動作が繰り返される。
【００７６】
ここで、入力受付時間が経過するまでの間に設定スイッチ２２の押下があった場合には（ステップＳＴ１９：Ｎｏ、ステップＳＴ２２）、給水時間設定部６７は入力受付時間をタイマ６５にセットする（ステップＳＴ２３）。その後、入力受付時間が経過するまでの間に設定スイッチ２２の押下の無い場合には（ステップＳＴ２４：Ｙｅｓ）、給水時間設定部６７は給水時間を第２給水時間に設定する（ステップＳＴ２５）。給水時間が第２給水時間に設定されると、設定確認部６８は、駆動部６を駆動して製氷皿５を２回揺動させる設定確認動作を行う（ステップＳＴ２６）。設定確認動作が行われると、製氷機１の動作モードは設定モードから製氷モードに移行する。製氷機１の動作モードが製氷モードに移行すると、初期化制御部６２により初期化動作（ステップＳＴ１４）が行われる。その後、図６に示すステップＳＴ４〜ステップＳＴ７の動作が行われ、ステップＳＴ８およびステップＳＴ４からステップＳＴ７の製氷動作が繰り返される。
【００７７】
一方、移行経過時間が経過するまでの間に設定スイッチ２２が押下されると（ステップＳＴ２４：Ｎｏ、ステップＳＴ２７）、給水時間設定部６７は給水時間を第３給水時間に設定する（ステップＳＴ２８）。給水時間が第３給水時間に設定されると、設定確認部６８は、駆動部６を駆動して製氷皿５を３回揺動させる設定確認動作を行う（ステップＳＴ２９）。設定確認動作が行われると、製氷機１の動作モードは設定モードから製氷モードに移行する。製氷機１の動作モードが製氷モードに移行すると、初期化制御部６２により初期化動作（ステップＳＴ１４）が行われる。その後、図６に示すステップＳＴ４〜ステップＳＴ７の動作が行われ、ステップＳＴ８およびステップＳＴ４からステップＳＴ７の製氷動作が繰り返される。
【００７８】
（作用効果）
本例によれば、給水時間を設定した操作者は、設定確認動作において、製氷皿５が揺動する態様を目視で確認することにより、いずれの給水時間が設定されたかを確認できる。よって、設定した給水時間を確認するために表示パネルを設ける必要がない。ここで、製氷機１は、製氷皿５を回転させる駆動部６を備えるので、設定した給水時間を確認するために、新たに製氷皿５を揺動（回転させる）機構を備える必要がない。従って、設定した給水時間を確認する機構を製氷機１に設けた場合でも、製氷機１の製造コストの上昇を抑制できる。
【００７９】
また、本例の製氷機１によれば、製氷機１の側において給水時間を設定することにより、冷蔵庫の給水機構８が製氷皿５に給水する給水時間を設定できる。すなわち、製氷機１の側のみの操作によって冷蔵庫の給水機構８を制御できる。さらに、製氷機１は、冷蔵庫の電源装置に電力線を接続するとともに、給水機構８の電磁弁１２に配線９を接続するだけで冷蔵庫に搭載される。従って、製氷機１の冷蔵庫への搭載が容易である。
【００８０】
さらに、本例では、設定確認動作において、製氷機１が揺動する回数で給水時間の設定が確認できる。さらに、製氷皿５が揺動する角度は、軸線回りにおける貯水位置５Ａと氷離脱位置５Ｂとの間の角度よりも小さい。従って、設定の確認が容易である。また設定の確認を短時間で行うことができる。
【００８１】
また、本例では、製氷機１が設定モードで起動したときに、給水時間の設定が可能となる。従って、製氷中に誤って設定スイッチ２２が操作されたときに給水時間が設定されて設定確認動作が行われ、製氷皿５が揺動することを回避できる。
【００８２】
さらに、本例では、電源スイッチ２１と設定スイッチ２２とが同時に操作された場合に、製氷機１が設定モードで起動する。従って、製氷中に誤って設定スイッチ２２が操作された場合などに、製氷機１の動作モードが製氷モードから設定モードに切り替わってしまうことがない。
【００８３】
また、本例では、設定スイッチ２２が押しボタン式スイッチであり、設定スイッチ２２の押下の回数によって給水時間を設定できる。従って、給水時間の設定が容易である。さらに、動作モードが製氷モードから設定モードに移行した時点から所定の移行経過時間が経過するまでの間に設定スイッチ２２が押下されない場合には、給水時間は変更されない。また、この場合には、動作モードが製氷モードから設定モードに戻る。従って、誤って、設定モードに移行した場合などに、電源スイッチ２１や設定スイッチ２２を操作する必要がない。
【００８４】
さらに、本例では、電源スイッチ２１および設定スイッチ２２が駆動部６のケース１６の下面に設けられている。従って、製氷機１を使用しているユーザーが、誤って電源スイッチ２１および設定スイッチ２２を操作してしまうことを防止できる。
【００８５】
また、本例では、冷蔵庫の給水機構８が水路を開閉する電磁弁１２を備えるので、給水制御部６４は、設定された給水時間だけ電磁弁１２を開いた状態に駆動して、水を製氷皿５に供給する。従って、設定された給水時間の水を製氷皿５に供給できる。
【００８６】
（変形例）
なお、設定確認動作では、給水時間が第１給水時間に設定された場合に、製氷皿５を第１角度で揺動させ、給水時間が第２給水時間に設定された場合に、製氷皿５を第１角度とは異なる第２角度で揺動させ、給水時間が第３給水時間に設定された場合に、製氷皿５を第１角度および第２角度とは異なる第３角度で揺動させるものとすることができる。第１
角度、第２角度、および、第３角度は、軸線Ｌ回りにおける貯水位置５Ａと氷離脱位置５Ｂとの間の角度よりも小さい。このようにすれば、製氷皿５が揺動する角度によって、設定した給水時間を確認できる。
【符号の説明】
【００８７】
１…製氷機、５…製氷皿、５Ａ…貯水位置、５Ｂ…氷離脱位置、６…駆動部、７…フレーム、８…給水機構、９…配線、１０…給水パイプ、１０ａ…給水口、１１…接続配管（水路）、１２…電磁弁（弁）、１４…貯水用凹部、１６…ケース、１６ａ…下面、１７…出力軸、１８…モータ、１９…制御部、２１…電源スイッチ、２２…設定スイッチ、２６…リブ、２８…第１壁部、２９…第２壁部、３０…連結部、３１…軸部、３２…突出部、３３…連通部、３５…サーミスタ、３６…カバー、４１…カム歯車、４２…穴、４４…検氷レバー、４５…カム角度位置検出機構、５１…第１枠部分、５１ａ…開口部、５２…第２枠部分、５３…第３枠部分、５４…第４枠部分、５５…支持部、５７…軸穴、５８…被当接部、６０…記憶部、６１…動作モード制御部、６２…初期化制御部、６３…製氷制御部、６４…給水制御部、６５…タイマ、６７…給水時間設定部、６８…設定確認部、６９…弁駆動制御部、Ｌ１…軸線、Ｒ１…第１回転方向、Ｒ２…第２回転方向
【図１】
2019190733.tif 000003
【図２】
2019190733.tif 000004
【図３】
2019190733.tif 000005
【図４】
2019190733.tif 000006
【図５】
2019190733.tif 000007
【図６】
2019190733.tif 000008
【図７】
2019190733.tif 000009